(57)【要約】【課題】拡大鏡又は望遠鏡内の対象物の良好な視認性を確保することができ、対象物により集中することができるメガネ型の拡大鏡又は望遠鏡を提供すること。【解決手段】使用者が顔に装着するメガネ部（１０）と、該メガネ部（１０）に取り付けられて支持されたルーペ部（３０）とを備えるメガネ型の拡大鏡である医療用ルーペ（１）であって、メガネ部（１０）は、フレーム（１１）に取り付けられた左右レンズ（１２ａ，１２ｂ）を備え、ルーペ部（３０）は、フレーム（１１）又は左右レンズ（１２ａ，１２ｂ）に取り付けられた左右ルーペ（３５ａ，３５ｂ）を備え、左右ルーペ（３５ａ，３５ｂ）の接眼部（３６ａ，３６ｂ）が左右レンズ（１２ａ，１２ｂ）の前面側に配置されており、左右レンズ（１２ａ，１２ｂ）における少なくとも接眼部（３６ａ，３６ｂ）の周囲の位置を覆うシート材（４０ａ，４０ｂ）を備える。【選択図】図１
2020086271.tif 000002
【特許請求の範囲】
【請求項１】
使用者が顔に装着するメガネ部と、該メガネ部に取り付けられて支持された拡大鏡部又は望遠鏡部とを備えるメガネ型の拡大鏡又は望遠鏡であって、
前記メガネ部は、前フレームと、前記前フレームの両サイドに連結された一対のツル部とを備えるフレームと、前記フレームに取り付けられた左右レンズとを備え、
前記拡大鏡部又は望遠鏡部は、前記フレーム又は前記左右レンズに取り付けられた左右拡大鏡又は望遠鏡を備え、前記左右拡大鏡又は望遠鏡の接眼部が前記左右レンズの前面側に配置されており、
前記左右レンズにおける少なくとも前記接眼部の周囲の位置を覆うシート材を備える
ことを特徴とするメガネ型の拡大鏡又は望遠鏡。
【請求項２】
前記シート材は、少なくとも前記左右レンズ側の面が黒色であることを特徴とする請求項１に記載のメガネ型の拡大鏡又は望遠鏡。
【請求項３】
前記シート材は、前記左右レンズの略下半分のみを覆う形状であることを特徴とする請求項１又は２に記載のメガネ型の拡大鏡又は望遠鏡。
【請求項４】
前記シート材は、前記左右レンズの表面に貼付されており、かつ前記接眼部に対向する位置に開口部が形成されていることを特徴とする請求項１乃至３のいずれか１項に記載のメガネ型の拡大鏡又は望遠鏡。
【請求項５】
前記シート材は、前記左右拡大鏡又は望遠鏡の前記接眼部に装着されており、かつ前記接眼部に対向する位置に開口部が形成されていることを特徴とする請求項１乃至３のいずれか１項に記載のメガネ型の拡大鏡又は望遠鏡。
【請求項６】
前記シート材には、該シート材を前記左右レンズに係止するための係止片が設けられていることを特徴とする請求項５に記載のメガネ型の拡大鏡又は望遠鏡。
【発明の詳細な説明】
【技術分野】
【０００１】
本発明は、使用者が顔に装着するメガネ型のメガネ部と、該メガネ部に取り付けられて支持された拡大鏡部又は望遠鏡部とを備えるメガネ型の拡大鏡又は望遠鏡に関する。
【背景技術】
【０００２】
従来、使用者が顔に装着するメガネ型のメガネ部と、該メガネ部に取り付けられて支持された拡大鏡部又は望遠鏡部とを備えるメガネ型の拡大鏡又は望遠鏡がある。このようなメガネ型の拡大鏡又は望遠鏡の一例として、例えば特許文献１、２に示すように、外科医などが手術の際に対象物を拡大して見るために使用する医療用ルーペがある。この医療用ルーペには、メガネの枠（フレーム）に直接的に、あるいは左右レンズを介して間接的に一対のルーペを取り付けたタイプのものがある。
【０００３】
このような医療用ルーペは、使用者がメガネをかけることで顔に装着し、その状態で左右レンズの前面側にある左右ルーペの接眼部を覗き込むことで対象物を拡大して見ることができる。しかしながら、この際に、左右ルーペの接眼部は左右レンズの前面側に配置されているため、目と接眼部との間に隙間がある。そのため、接眼部を覗き込んだ状態で周囲の景色が視界に入り込む状態となっており、その状態で手術などの細かい作業を行わなければならない。これにより、作業に十分に集中することができなかったり、対象物が見難いという問題があった。特に、周囲が明るい環境下では、周囲の明りが視野に入ってしまい、対象物の良好な視認性を確保できないおそれがより高くなる。
【先行技術文献】
【特許文献】
【０００４】
【特許文献１】特開２００１−３５０１２３号公報
【特許文献２】特開２０１７−１２９６７０号公報
【発明の概要】
【発明が解決しようとする課題】
【０００５】
本発明は上述の点に鑑みてなされたものであり、その目的は、拡大鏡又は望遠鏡内の対象物の良好な視認性を確保することができ、対象物により集中することができるメガネ型の拡大鏡又は望遠鏡を提供することにある。
【課題を解決するための手段】
【０００６】
上記課題を解決するため、本発明にかかるメガネ型の拡大鏡又は望遠鏡は、使用者が顔に装着するメガネ部（１０）と、該メガネ部（１０）に取り付けられて支持された拡大鏡部又は望遠鏡部（３０）とを備えるメガネ型の拡大鏡又は望遠鏡（１，１−２，１−３）であって、前記メガネ部（１０）は、前フレーム（１６）と、前記前フレーム（１６）の両サイドに連結された一対のツル部（１８ａ、１８ｂ）とを備えるフレーム（１１）と、前記フレーム（１１）に取り付けられた左右レンズ（１２ａ，１２ｂ）とを備え、前記拡大鏡部又は望遠鏡部（３０）は、前記フレーム（１１）又は前記左右レンズ（１２ａ，１２ｂ）に取り付けられた左右拡大鏡又は望遠鏡（３５ａ，３５ｂ）を備え、前記左右拡大鏡又は望遠鏡（３５ａ，３５ｂ）の接眼部（３６ａ，３６ｂ）が前記左右レンズ（１２ａ，１２ｂ）の前面側に配置されており、前記左右レンズ（１２ａ，１２ｂ）における少なくとも前記接眼部（３６ａ，３６ｂ）の周囲の位置を覆うシート材（４０ａ，４０ｂ）を備えることを特徴とする。
【０００７】
本発明にかかるメガネ型の拡大鏡又は望遠鏡によれば、左右レンズにおける左右拡大鏡又は望遠鏡の接眼部の周囲がシート材で覆われていることで、左右拡大鏡又は望遠鏡の接眼部を覗き込む際に周辺の景色が視界に入らずに済む。したがって、左右拡大鏡又は望遠鏡を介して見る対象物に神経を集中することができ、対象物を取り扱う作業や観察などの効率を格段に向上させることができる。
【０００８】
また、このメガネ型の拡大鏡又は望遠鏡では、前記シート材（４０ａ，４０ｂ）は、少なくとも前記左右レンズ（１２ａ，１２ｂ）側の面が黒色であってよい。
【０００９】
この構成によれば、シート材の少なくとも左右レンズ側の面が黒色であることで、左右拡大鏡又は望遠鏡の接眼部を覗き込む際に周囲を黒色の背景にすることができる。これにより、左右拡大鏡又は望遠鏡内の対象物をより見易くすることができ、対象物により神経を集中させることができるようになる。
【００１０】
また、このメガネ型の拡大鏡又は望遠鏡では、前記シート材（４０ａ，４０ｂ）は、前記左右レンズ（１２ａ，１２ｂ）の略下半分のみを覆う形状であってよい。
【００１１】
この構成によれば、シート材は、左右レンズの略下半分のみを覆う形状であることで、左右レンズの略上半分は視界が確保された状態となる。これにより、使用者はメガネ型の拡大鏡又は望遠鏡を装着したままの状態で視線を上に向けるだけで周囲を見ることができる。したがって、左右拡大鏡又は望遠鏡を通した対象物の視認性の向上と、対象物以外の周囲の確認を容易かつ確実に行うことができることとの両立を図ることができる。
【００１２】
また、このメガネ型の拡大鏡又は望遠鏡では、前記シート材（４０ａ、４０ｂ）は、前記左右レンズ（１２ａ，１２ｂ）の表面に貼付されており、かつ前記接眼部（３６ａ，３６ｂ）に対向する位置に開口部（４１ａ，４１ｂ）が形成されていてもよい。
【００１３】
この構成によれば、シート材が左右レンズの表面に貼付されていることで、簡単な構成で左右拡大鏡又は望遠鏡を通した対象物の視認性の向上を図ることができるメガネ型の拡大鏡又は望遠鏡となる。
【００１４】
また、このメガネ型の拡大鏡又は望遠鏡では、前記シート材（４０ａ、４０ｂ）は、前記左右拡大鏡又は望遠鏡（１２ａ，１２ｂ）の前記接眼部（３６ａ，３６ｂ）に装着されており、かつ前記接眼部（３６ａ，３６ｂ）に対向する位置に開口部（４１ａ，４１ｂ）が形成されていてもよい。
【００１５】
この構成によれば、シート材が左右拡大鏡又は望遠鏡の接眼部に装着されていることで、例えば左右拡大鏡又は望遠鏡を左右レンズの前面に対向する位置から上方へ跳ね上げて退避させることができるようにした場合、左右拡大鏡又は望遠鏡と一緒にシート材も上方へ退避させることができるので、左右拡大鏡又は望遠鏡を使用しないときにシート材が邪魔にならずに済み、良好な視界を確保することができる。
【００１６】
またこの場合、前記シート材（４０ａ、４０ｂ）には、該シート材（４０ａ、４０ｂ）を前記左右レンズ（１２ａ，１２ｂ）に係止するための係止片（４２ａ，４２ｂ）が設けられていてもよい。
【００１７】
この構成によれば、シート材を左右レンズに係止するための係止片を設けたことで、当該係止片によってシート材を左右レンズの前面に正確に位置決めされた状態で配置することができる。これにより、左右拡大鏡又は望遠鏡の接眼部を覗き込む際により確実に周辺の景色が視界に入らずに済むようになる。
なお、上記の括弧内の符号は、後述する実施形態の対応する構成要素の符号を本発明の一例として示したものである。
【発明の効果】
【００１８】
本発明にかかるメガネ型の拡大鏡又は望遠鏡によれば、拡大鏡又は望遠鏡内の対象物の十分な視認性を確保することができ、対象物により集中することができる。
【図面の簡単な説明】
【００１９】
【図１】本発明にかかるメガネ型の拡大鏡又は望遠鏡の第一実施形態である医療用ルーペを示す斜視図である。
【図２】本発明にかかるメガネ型の拡大鏡又は望遠鏡の第二実施形態である医療用ルーペを示す斜視図である。
【図３】本発明にかかるメガネ型の拡大鏡又は望遠鏡の第三実施形態である医療用ルーペを示す斜視図である。
【発明を実施するための形態】
【００２０】
以下、添付図面を参照して本発明の実施形態を詳細に説明する。下記の第一乃至第三実施形態の説明では、本発明にかかるメガネ型の拡大鏡又は望遠鏡の実施形態として、医療用のルーペ（メガネ型の拡大鏡）を例に説明をするが、本発明はこの実施形態に限られるものではなく、メガネ型の望遠鏡にも適用が可能である。
〔第一実施形態〕
図１は、本発明にかかるメガネ型の拡大鏡又は望遠鏡の第一実施形態である医療用ルーペ（メガネ型の拡大鏡）を示す斜視図である。図１に示す医療用ルーペは、使用者が顔に装着するメガネ部１０と、該メガネ部１０に取り付けられて支持されたルーペ部（本発明の拡大鏡部又は望遠鏡部）３０とを備えて構成されている。
【００２１】
メガネ部１０は、フレーム１１に左レンズ１２ａと右レンズ１２ｂが取り付けられてメガネ型に形成されている。フレーム１１は、通常の合成樹脂製のメガネフレームと同様、前フレーム１６と、前フレーム１６の両サイドにヒンジ部１７ａ，１７ｂを介して折り畳み可能に連結された一対のツル部１８ａ、１８ｂとを備えている。前フレーム１６の下辺の左右それぞれに形成した溝部（図示せず）に左レンズ１２ａと右レンズ１２ｂとが嵌め込まれて取り付けられている。
【００２２】
ルーペ部３０は、メガネ部１０の前フレーム１６の中央（左右の中央）の前面に取り付けられたアーム部３１と、該アーム部３１の先端に設けられて左ルーペ３５ａと右ルーペ３５ｂを連結してなる連結部３８とを備えて構成されている。アーム部３１は、前フレーム１６に固定された基部３２と、該基部３２に対して上下方向に回動可能に連結された第一ヒンジ部３３と、該第一ヒンジ部３３の先で更に上下方向に回動可能に連結された第二ヒンジ部３４とを備えている。第二ヒンジ部３４の先に取り付けられた連結部３８は、前後方向に延びる軸を中心に左ルーペ３５ａと右ルーペ３５ｂ（本発明の左右拡大鏡又は望遠鏡）を回動可能に支持しており、左ルーペ３５ａと右ルーペ３５ｂとの間の角度を調節することで、左ルーペ３５ａと右ルーペ３５ｂの離間距離及び上下位置を調節可能に構成されている。ルーペ部３０は、第一ヒンジ部３３及び第二ヒンジ部３４を回動させることで左右ルーペ３５ａ，３５ｂがそれぞれ左右レンズ１２ａ，１２ｂの前に配置された使用位置（図１に示す位置）と、左右ルーペ３５ａ，３５ｂが左右レンズ１２ａ，１２ｂの前から上方に跳ね上げられて退避した退避位置との間で移動可能となっている。
【００２３】
そして、本実施形態の医療用ルーペ１は、左ルーペ３５ａの接眼部３６ａ及びその周辺に対応する位置の左レンズ１２ａの表面に貼付したシート材（左シート材）４０ａと、右ルーペ３５ｂの接眼部３６ｂ及びその周辺に対応する位置の右レンズ１２ｂの表面に貼付したシート材（右シート材）４０ｂとを備えている。左右シート材４０ａ，４０ｂは、左右レンズ１２ａ，１２ｂそれぞれの略下半分の部分のみに貼付されており、左右レンズ１２ａ，１２ｂの左右シート材４０ａ，４０ｂが貼付されていない上半分の部分は、透明で視認性が確保された非貼付部１４ａ，１４ｂになっている。左右シート材４０ａ，４０ｂは、表裏面が黒色で非光沢のシート材であり、左右レンズ１２ａ，１２ｂの略下半分の全体を覆う外形を有し、かつ、左右ルーペ３５ａ，３５ｂの接眼部３６ａ，３６ｂに対応する部分には円形の開口部からなる覗き穴４１ａ，４１ｂが形成されている。
【００２４】
本実施形態の医療用ルーペ１は、使用者がメガネ部１０のツル部１８ａ，１８ｂを耳に掛けることでメガネのように顔に装着する。その状態で、上記の退避位置にあるルーペ部３０を下向きに回動させて左右レンズ１２ａ，１２ｂの前に降ろすことで上記の使用位置とする。これにより、使用者が左右シート材４０ａ，４０ｂの覗き穴４１ａ，４１ｂを介して左右ルーペ３５ａ，３５ｂの接眼部３６ａ，３６ｂを覗くことができ、ルーペ部３０で対象物を拡大して見ることができる。このとき、覗き穴４１ａ，４１ｂ及び左右ルーペ３５ａ，３５ｂの接眼部３６ａ，３６ｂの周囲が左右シート材４０ａ，４０ｂで覆われていることで、左右ルーペ３５ａ，３５ｂの接眼部３６ａ，３６ｂを覗き込む際に周辺の景色が視界に入らずに済む。したがって、左右ルーペ３５ａ，３５ｂで見る対象物に神経を集中することができ、手術などの作業の効率を格段に向上させることができる。
【００２５】
その一方で、左右シート材４０ａ，４０ｂは、左右レンズ１２ａ，１２ｂの略下半分のみに貼付されているため、左右レンズ１２ａ，１２ｂの略上半分（非貼付部１４ａ，１４ｂ）は視界が確保された状態である。そのため、手術などの作業をしている使用者は、医療用ルーペ１を装着したままの状態で視線を上に向けるだけで、手術室のモニター画面や他の作業者の顔などを見ることができる。したがって、ルーペ部３０を通した対象物の視認性の向上を図りながらも、対象物以外の周囲の確認を容易かつ確実に行うことができる。
【００２６】
また、本実施形態の医療用ルーペ１では、ルーペ部３０を上方に跳ね上げて退避位置とすれば、左右ルーペ３５ａ，３５ｂを通さずに対象物を直接見ることができる。すなわち、左右シート材４０ａ，４０ｂに覗き穴４１ａ，４１ｂが設けられているので、この覗き穴４１ａ，４１ｂを介して対象物を見ることができるので、対象物をルーペ部３０を介さずに直接確認することもできる。
【００２７】
なお、本実施形態の医療用ルーペ１では、左右レンズ１２ａ，１２ｂには度数の無いレンズを用いるが、これ以外にも、左右シート材４０ａ，４０ｂの覗き穴４１ａ，４１ｂに対応する部分に度数を入れたレンズを用いるようにしてもよい。この場合、覗き穴４１ａ，４１ｂに対応する部分は視野が拡大されるような度数を入れるようにする。これにより、ルーペ部３０を退避位置とした状態でも覗き穴４１ａ，４１ｂを通して見る対象物がある程度拡大されて見えるので、細かい物を見易くなるという効果がある。また、ルーペ部３０を介して対象物を見る場合にも、左右レンズ１２ａ，１２ｂの度数とルーペ部３０（左右ルーペ３５ａ，３５ｂ）の度数を合わせた度数で対象物を拡大して見ることができるので、簡単な構成でより高倍率の拡大率が得られるという効果もある。
【００２８】
〔第二実施形態〕
次に、本発明の第二実施形態について説明する。なお、第２実施形態の説明及び対応する図面においては、第１実施形態と同一又は相当する構成部分には同一の符号を付し、以下ではその部分の詳細な説明は省略する。また、以下で説明する事項以外の事項、及び図示する以外の事項については、第１実施形態と同じである。この点は、下記の他の実施形態についても同様である。
【００２９】
図２は、本発明にかかるメガネ型の拡大鏡又は望遠鏡の第二実施形態である医療用ルーペ１−２を示す図である。第一実施形態の医療用ルーペ１のルーペ部３０は、メガネ部１０のフレーム１１に取り付けるアーム部３１及び連結部３８を有しており、メガネ部１０の前フレーム１６に対して上下方向に回動可能に取り付けられていたのに対して、本実施形態の医療用ルーペ１−２のルーペ部３０は、左右レンズ１２ａ，１２ｂの前面に左右ルーペ３５ａ，３５ｂが直接取り付けられた構成である。
【００３０】
また、本実施形態では、メガネ部１０のフレーム１１の前フレーム１６は、左右レンズ１２ａ，１２ｂを嵌めるための一対の環状のリム部１６ａ、１６ｂが中央の連結部１６ｃで左右対称に連結された形状となっている。
【００３１】
そして、左右レンズ１２ａ，１２ｂに貼付された左右シート材４０ａ，４０ｂは、左右ルーペ３５ａ，３５ｂの接眼部３６ａ，３６ｂの周囲に配置されている。左右シート材４０ａ，４０ｂは、本実施形態においても、左右レンズ１２ａ，１２ｂの略下半分にのみ貼付されている。
【００３２】
本実施形態の医療用ルーペ１−２でも、左右ルーペ３５ａ，３５ｂの接眼部３６ａ，３６ｂの周囲が左右シート材４０ａ，４０ｂで覆われていることで、左右ルーペ３５ａ，３５ｂの接眼部３６ａ，３６ｂを覗き込む際に周辺の景色が視界に入らずに済む。したがって、左右ルーペ３５ａ，３５ｂを介して見る対象物に神経を集中することができ、手術などの作業の効率を格段に向上させることができる。また、左右レンズ１２ａ，１２ｂの略上半分は視界が確保された状態なので、使用者は医療用ルーペ１−２を装着したままの状態で視線を上に向けるだけで、周囲を見ることができる。したがって、左右ルーペ３５ａ，３５ｂを通した対象物の視認性の向上を図りながらも、対象物以外の周囲の確認を容易かつ確実に行うことができる。
【００３３】
〔第三実施形態〕
次に、本発明の第三実施形態について説明する。図３は、本発明にかかるメガネ型の拡大鏡又は望遠鏡の第三実施形態である医療用ルーペ１−３を示す図である。第一実施形態の医療用ルーペ１では、左右シート材４０ａ，４０ｂが左右レンズ１２ａ，１２ｂの表面に貼付されていたのに対して、本実施形態の医療用ルーペ１−３が備える左右シート材４０ａ，４０ｂは、左右レンズ１２ａ，１２ｂの表面ではなく、左右ルーペ３５ａ，３５ｂの接眼部３６ａ，３６ｂに取り付けられている。
【００３４】
左右シート材４０ａ，４０ｂは、左右レンズ１２ａ，１２ｂの略下半分の前面を覆う外形を有し、かつ左右ルーペ３５ａ，３５ｂの接眼部３６ａ，３６ｂに対応する部分に円形の開口部からなる覗き穴４１ａ，４１ｂが設けられている。その状態で、左右ルーペ３５ａ、３５ｂの接眼部３６ａ，３６ｂに一体に取り付け（貼り付け）られている。したがって、左右シート材４０ａ，４０ｂは、ルーペ部３０と一体に上下に移動（回動）する。
【００３５】
本実施形態の医療用ルーペ１−３は、第一実施形態の医療用ルーペ１と同様、使用者がメガネ部１０のツル部１８ａ，１８ｂを耳に掛けることでメガネのように顔に装着する。その状態で退避位置にあるルーペ部３０を下向きに回動させて左右レンズ１２ａ，１２ｂの前に降ろすことで使用位置とする。これにより、左右シート材４０ａ，４０ｂが左右レンズ１２ａ，１２ｂ（詳細には左右レンズ１２ａ，１２ｂの略下半分）の前に配置され、左右ルーペ３５ａ，３５ｂの接眼部３６ａ，３６ｂの周囲が覆われた状態となる。したがって、医療用ルーペ１と同様、左右ルーペ３５ａ，３５ｂの接眼部３６ａ，３６ｂの周囲が左右シート材４０ａ，４０ｂで覆われていることで、左右ルーペ３５ａ，３５ｂの接眼部３６ａ，３６ｂを覗き込む際に周辺の景色が視界に入らずに済む。したがって、左右ルーペ３５ａ，３５ｂで見る対象物に神経を集中することができ、手術などの作業の効率を格段に向上させることができる。
【００３６】
なお、本実施形態の医療用ルーペ１−３では、左右シート材４０ａ，４０ｂが左右レンズ１２ａ，１２ｂの前に配置されたときに、左右シート材４０ａ，４０ｂを左右レンズ１２ａ，１２ｂの前面に係止するための係止片４２ａ，４２ｂを備えている。係止片４２ａ，４２ｂは、左右シート材４０ａ，４０ｂの外周縁から左右レンズ１２ａ，１２ｂ側に向かって延びる弾性を有する細片状の部分であってよい。係止片４２ａ，４２ｂは、左右シート材４０ａ，４０ｂが左右レンズ１２ａ，１２ｂの前に配置されたときに弾性変形することで、左右レンズ１２ａ，１２ｂの縁を乗り越えてその裏面側（顔側）に引っ掛かるように構成されている。したがって、この係止片４２ａ、４２ｂを備えることで、左右シート材４０ａ，４０ｂを左右レンズ１２ａ，１２ｂの前面に正確に位置決めされた状態で配置できるようになる。これにより、左右ルーペ３５ａ，３５ｂの接眼部３６ａ、３６ｂを覗き込む際により確実に周辺の景色が視界に入らずに済むようになる。
【００３７】
以上、本発明の実施形態を説明したが、本発明は、上記実施形態に限定されるものではなく、特許請求の範囲、及び明細書と図面に記載された技術的思想の範囲内において種々の変形が可能である。例えば、上記実施形態に示す左右シート材４０ａ，４０ｂは、その表面及び裏面が黒色であるが、これ以外にも本発明の医療用ルーペが備えるシート材は、黒色以外の他の色であってもよいし、また左右レンズ１２ａ，１２ｂ側の面のみが黒色に着色されたものであってもよい。
【００３８】
また、上記実施形態のように左右レンズの略下半分にシート材を貼付する以外にも、左右レンズを略上半分のみレンズとし、下半分はレンズを設けず不透明のシート材又は板材などで構成してもよい。その場合、シート材はレンズの表面に貼付するものではなく、上半分のレンズの下端辺に連続して繋がれた部材となる。
【００３９】
また、上記第一乃至第三実施形態では、本発明にかかるメガネ型の拡大鏡又は望遠鏡の実施形態として、メガネ型の拡大鏡である医療用ルーペを例に説明したが、本発明はこの実施形態に限定されるものではなく、遠方の対象物を拡大して見るためのオペラグラスや双眼鏡として使用することが可能なメガネ型の望遠鏡であってもよい。その場合、メガネ部に左右望遠鏡を有する望遠鏡部を取り付けた構成となる。またその場合、上記第一乃至第三実施形態の医療用ルーペを例に説明した本発明のシート材に関する構成は、そのままメガネ型の望遠鏡に適用することができる。
【００４０】
また、上記実施形態の医療用ルーペ１〜１−３では、メガネ部１０の左右レンズ１２ａ，１２ｂの前面それぞれに左ルーペ３５ａと右ルーペ３５ｂを配置した双眼鏡型のルーペである場合を説明したが、本発明にかかるメガネ型の拡大鏡又は望遠鏡は、これ以外にも、左右レンズのいずれか一方の前面のみに拡大鏡又は望遠鏡を配置した単眼鏡型であってもよい。その場合は、シート材は、左右レンズのうち拡大鏡又は望遠鏡を設けた側にのみ対応して設ければよい。
【００４１】
また、上記実施形態の医療用ルーペ１〜１−３では、シート材４０ａ，４０ｂは、左右レンズ１２ａ，１２ｂの略下半分のみを覆う形状である場合を示したが、本発明がメガネ型の望遠鏡である場合は、これに代えて、シート材を左右レンズの略上半分のみを覆う形状とすることも可能である。
【００４２】
また、上記実施形態の医療用ルーペ１〜１−３では、使用者が顔に装着するメガネ部１０と、該メガネ部１０に取り付けられて支持された拡大鏡部３０とを備えるメガネ型の拡大鏡を説明したが、本発明は、メガネ部に対応する部分を備えずに拡大鏡部又は望遠鏡部と左右シート材とに対応する部分のみを備えた構成とすることも可能である。この場合、双眼型の拡大鏡部又は望遠鏡部の接眼部に直接左右シート材を取り付けたものとする。このような構成によっても、拡大鏡部又は望遠鏡部の接眼部を覗き込む際に周辺の景色が視界に入らずに済むようになる。
【符号の説明】
【００４３】
１，１−２，１−３ 医療用ルーペ（メガネ型の拡大鏡）
１０ メガネ部
１１ フレーム
１２ａ，１２ｂ 左右レンズ
１４ａ，１４ｂ 非貼付部
１６ 前フレーム
１６ａ，１６ｂ リム部
１６ｃ 連結部
１７ａ，１７ｂ ヒンジ部
１８ａ，１８ｂ ツル部
３０ ルーペ部（拡大鏡部）
３１ アーム部
３２ 基部
３３ 第一ヒンジ部
３４ 第二ヒンジ部
３５ａ 左ルーペ（左拡大鏡）
３５ｂ 右ルーペ（右拡大鏡）
３６ａ，３６ｂ 接眼部
３８ 連結部
４０ａ，４０ｂ 左右シート材
４１ａ，４１ｂ 覗き穴（開口部）
４２ａ，４２ｂ 係止片
【図１】
2020086271.tif 000003
【図２】
2020086271.tif 000004
【図３】
2020086271.tif 000005